【事件の表示】
　特許第３１７８７４３号「給紙装置」の請求項１、２に係る特許に対する特許異議の申立てについて、次のとおり決定する。
【結　論】
　訂正を認める。
　特許第３１７８７４３号の請求項２に係る特許を取り消す。
　同請求項１に係る特許を維持する。
【理　由】
１．手続の経緯の概要
　本件特許第３１７８７４３号発明は、平成４年６月３０日に特許出願され、平成１３年４月１３日に設定登録（平成１３年６月２５日特許公報発行）がなされ、その後、平成１３年１２月２５日付けで小山英子より特許異議の申立がなされ、平成１４年３月２６日に取消理由の通知がなされ、その指定期間内である平成１４年５月２７日に意見書の提出とともに訂正請求がなされたものである。
　
２．訂正の適否
　
（１）訂正の内容
　
訂正事項ａ−１
　特許請求の範囲の請求項１に係る記載
「用紙分離搬送用のフィードローラと、用紙を受けて用紙先端の送り調整を行うレジストローラと、フィードローラ及びレジストローラを駆動する正逆転可能なモータとを備えた給紙装置であって、
前記フィードローラ及びレジストローラの各支軸にそれぞれ設けられて前記モータの回転駆動力を伝達する伝達手段に、互いに異なる回転方向で回転ロックするワンウェイクラッチを設け、前記モータの正転時に前記レジストローラを空転させると共に前記フィードローラを用紙搬送方向に回転させ、また前記モータの逆転時に前記レジストローラを用紙搬送方向に回転させると共に前記フィードローラを空転させることを特徴とする給紙装置。」を、
「用紙分離搬送用のフィードローラと、このフィードローラから回転駆動力を受け、かつ積載された用紙上面に接して用紙を給送するピックアップコロと、前記フィードローラからの用紙を受けて用紙先端の送り調整を行うレジストローラと、ピックアップコロとフィードローラとレジストローラを駆動する正逆転可能なモータとを備えた給紙装置であって、
　前記フィードローラ及びレジストローラの各支軸にそれぞれ設けられて前記モータの回転駆動力を伝達する伝達手段に、互いに異なる回転方向で回転ロックするワンウェイクラッチを設け、前記モータの正転時に前記レジストローラを空転させると共に前記ピックアップコロとフィードローラを用紙搬送方向に回転させ、また前記モータの逆転時に前記レジストローラを用紙搬送方向に回転させると共に前記ピックアップコロとフィードローラを空転させることを特徴とする給紙装置。」
と訂正する。
　
訂正事項ａ−２
　特許請求の範囲の請求項２に係る記載
「積載された用紙上面に接して用紙を給送するピックアップコロと、用紙分離搬送用のフィードローラと、用紙を受けて用紙先端の送り調整を行うレジストローラと、ピックアップコロとフィードローラとレジストローラを駆動する正逆転可能なモータとを備えた給紙装置であって、
前記ピックアップコロとフィードローラに対して前記モータの回転駆動力をトルクリミッタを介して伝達し、前記レジストローラの支軸に設けられて前記モータの回転駆動力を伝達する伝達手段にワンウェイクラッチを設け、前記モータの正転時に前記レジストローラを空転させると共に前記ピックアップコロとフィードローラを用紙搬送方向に回転させ、また前記モータの逆転時に前記レジストローラを用紙搬送方向に回転させると共に前記ピックアップコロとフィードローラを空転させることを特徴とする給紙装置。」を、
「用紙分離搬送用のフィードローラと、このフィードローラから回転駆動力を受け、かつ積載された用紙上面に接して用紙を給送するピックアップコロと、前記フィードローラからの用紙を受けて用紙先端の送り調整を行うレジストローラと、ピックアップコロとフィードローラとレジストローラを駆動する正逆転可能なモータとを備えた給紙装置であって、
　前記ピックアップコロとフィードローラに対して前記モータの回転駆動力をトルクリミッタを介して伝達し、前記レジストローラの支軸に設けられて前記モータの回転駆動力を伝達する伝達手段にワンウェイクラッチを設け、前記モータの正転時に前記レジストローラを空転させると共に前記ピックアップコロとフィードローラを用紙搬送方向に回転させ、また前記モータの逆転時に前記レジストローラを用紙搬送方向に回転させると共に前記ピックアップコロとフィードローラを空転させることを特徴とする給紙装置。」
と訂正する。
　
訂正事項ｂ−１
　
　明細書の段落番号【００１４】の
「【課題を解決するための手段】上記の目的を達成するため、本発明の第１の手段は、用紙分離搬送用のフィードローラと、用紙を受けて用紙先端の送り調整を行うレジストローラと、フィードローラ及びレジストローラを駆動する正逆転可能なモータとを備えた給紙装置であって、前記フィードローラ及びレジストローラの各支軸にそれぞれ設けられて前記モータの回転駆動力を伝達する伝達手段に、互いに異なる回転方向で回転ロックするワンウェイクラッチを設け、前記モータの正転時に前記レジストローラを空転させると共に前記フィードローラを用紙搬送方向に回転させ、また前記モータの逆転時に前記レジストローラを用紙搬送方向に回転させると共に前記フィードローラを空転させることを特徴とする。」を、
「【課題を解決するための手段】上記の目的を達成するため、本発明の第１の手段は、用紙分離搬送用のフィードローラと、このフィードローラから回転駆動力を受け、かつ積載された用紙上面に接して用紙を給送するピックアップコロと、前記フィードローラからの用紙を受けて用紙先端の送り調整を行うレジストローラと、ピックアップコロとフィードローラとレジストローラを駆動する正逆転可能なモータとを備えた給紙装置であって、前記フィードローラ及びレジストローラの各支軸にそれぞれ設けられて前記モータの回転駆動力を伝達する伝達手段に、互いに異なる回転方向で回転ロックするワンウェイクラッチを設け、前記モータの正転時に前記レジストローラを空転させると共に前記ピックアップコロとフィードローラを用紙搬送方向に回転させ、また前記モータの逆転時に前記レジストローラを用紙搬送方向に回転させると共に前記ピックアップコロとフィードローラを空転させることを特徴とする。」
と訂正する。
　
訂正事項ｂ−２
　
　明細書の段落番号【００１５】の
「また第２の手段は、積載された用紙上面に接して用紙を給送するピックアップコロと、用紙分離搬送用のフィードローラと、用紙を受けて用紙先端の送り調整を行うレジストローラと、ピックアップコロとフィードローラとレジストローラを駆動する正逆転可能なモータとを備えた給紙装置であって、前記ピックアップコロとフィードローラに対して前記モータの回転駆動力をトルクリミッタを介して伝達し、前記レジストローラの支軸に設けられて前記モータの回転駆動力を伝達する伝達手段にワンウェイクラッチを設け、前記モータの正転時に前記レジストローラを空転させると共に前記ピックアップコロとフィードローラを用紙搬送方向に回転させ、また前記モータの逆転時に前記レジストローラを用紙搬送方向に回転させると共に前記ピックアップコロとフィードローラを空転させることを特徴とする。」
を、
「また第２の手段は、用紙分離搬送用のフィードローラと、このフィードローラから回転駆動力を受け、かつ積載された用紙上面に接して用紙を給送するピックアップコロと、前記フィードローラからの用紙を受けて用紙先端の送り調整を行うレジストローラと、ピックアップコロとフィードローラとレジストローラを駆動する正逆転可能なモータとを備えた給紙装置であって、前記ピックアップコロとフィードローラに対して前記モータの回転駆動力をトルクリミッタを介して伝達し、前記レジストローラの支軸に設けられて前記モータの回転駆動力を伝達する伝達手段にワンウェイクラッチを設け、前記モータの正転時に前記レジストローラを空転させると共に前記ピックアップコロとフィードローラを用紙搬送方向に回転させ、また前記モータの逆転時に前記レジストローラを用紙搬送方向に回転させると共に前記ピックアップコロとフィードローラを空転させることを特徴とする。」
と訂正する。
　
（２）訂正の目的の適否、新規事項の有無、及び特許請求の範囲の拡張・変更の存否
　上記訂正事項ａ−１は、特許請求の範囲の請求項１において、「ピックアップコロ」と「フィードローラ」との関連構成を、明細書の段落【０００６】、図１４、及び、図２の記載に基づいて、「フィードローラから回転駆動力を受け、かつ積載された用紙上面に接して用紙を給送するピックアップコロ」と限定するとともに、「前記モータの正転時に前記レジストローラを空転させると共に前記フィードローラを用紙搬送方向に回転させ、また前記モータの逆転時に前記レジストローラを用紙搬送方向に回転させると共に前記フィードローラを空転させる」を、明細書の段落【００２２】、及び、図２の記載に基づいて、より下位概念である「前記モータの正転時に前記レジストローラを空転させると共に前記ピックアップコロとフィードローラを用紙搬送方向に回転させ、また前記モータの逆転時に前記レジストローラを用紙搬送方向に回転させると共に前記ピックアップコロとフィードローラを空転させる」に限定しようとするものであるから、特許請求の範囲の減縮を目的とした明細書の訂正に該当する。
　上記訂正事項ａ−２は、特許請求の範囲の請求項２において、「ピックアップコロ」と「フィードローラ」との関連構成を、明細書の段落【０００６】、図１４、及び、図４の記載に基づいて、「フィードローラから回転駆動力を受け、かつ積載された用紙上面に接して用紙を給送するピックアップコロ」と限定しようとするものであるから、特許請求の範囲の減縮を目的とした明細書の訂正に該当する。
　上記訂正事項ｂ−１、及び、ｂ−２は、訂正された請求項１、及び、請求項２の記載と、発明の詳細な説明との整合を図るために、明細書の段落番号【００１４】及び【００１５】の記載を訂正するものであるから、明りょうでない記載の釈明を目的とした、明細書の訂正に該当する。
　そして、上記訂正事項ａ−１乃至ｂ−２は、願書に添付した明細書又は図面に記載した事項の範囲内の訂正であって、新規事項の追加に該当せず、実質上特許請求の範囲を拡張し、又は変更するものでもない。
　
（３）むすび
　
　したがって、上記訂正は、特許法第１２０条の４第２項の規定、及び第１２０条の４第３項において準用する平成６年法改正前の特許法第１２６条第１項ただし書き及び第２項の規定に適合するので、該訂正を認める。
　
３．特許異議の申立の概要
　
本件特許異議申立人小山英子は、甲第１号証を提出して、概略、本件特許の請求項１乃至請求項２に係る発明は、甲第１号証の開示内容から、当業者が容易に発明することができるものであり、特許法第２９条第２項の規定により特許を受けることができないものであるから、取り消されるべきものである旨主張している。
　
甲第１号証：実願昭６３−１４７１９号（実開平１−１１８９３４号）の
マイクロフィルム
　
４．特許異議申立についての判断
　
（１）本件訂正発明１、２
　
訂正明細書の請求項１、２に係る発明（以下、それぞれ「本件訂正発明１」、「本件訂正発明２」という）は、訂正明細書の特許請求の範囲の請求項１、２に記載された事項により特定されるとおりのものである。
（２．訂正の適否（１）訂正の内容　訂正事項ａ−１、ａ−２を参照。）
　
（２）引用刊行物の記載事項
　
当審が通知した、取消理由に引用した刊行物１（実願昭６３−１４７１９号（実開平１−１１８９３４号）のマイクロフィルム：特許異議申立人小山英子の提出した甲第１号証）には、自動原稿送り装置に関して、図面とともに、以下の事項が記載されている。
　
記載事項ａ（第５頁１６行−第６頁１５行） 
「分離部５には給紙経路を形成する給紙ガイド９，１０と、給紙スタッカ４にセットされた原稿を送り出す繰り出し手段例えばピックアップローラ１１と、給紙スタッカ４に原稿がセットされているか否かを検出するエンプティセンサ１２と、給紙方向に回転する給紙ローラ１３と、この給紙ローラ１３により給紙される原稿に追従する原稿を退ける方向に回転する分離ローラ１４と、原稿の幅方向のサイズを検出するためのサイズ検出センサ１５と、レジストセンサ１６と、中継搬送手段例えばレジストローラ１７，１８とを備えている。 
　尚、給紙ローラ１３は第２図に示す回転軸４０にワンウェイクラッチを介して取りつけられている。 
　また、ピックアップローラ１１はその回転軸４２を、基端がバネクラッチ４３を介して回転軸４０に取り付けられた一対のアーム４４に支持されている。そして、ギヤ５８，５９，６０を介して回転軸４０の駆動を回転軸４２に伝達するようになっている。」
　
記載事項ｂ（第７頁１８行−第８頁２０行） 
「駆動装置は第２図のように正逆転自在のモータ３０と、このモータ３０の回転軸３１に取り付けられたプーリ３２と、回転軸３３に取り付けられたプーリ３４と、プーリ３２とプーり３４とを連結したタイミングベルト３５と、第１の一方向回転クラッチ例えばバネクラッチ３７を介して回転軸３３に取り付けられたギヤ３８と、このギヤ３８に噛み合うギヤ３９と、給紙ローラ１３の回転軸４０に取り付けられ、ギヤ３９に噛み合うギヤ４１と、ギヤ４１に噛み合うギヤ５２と、分離ローラ１４の回転軸５３に取り付けられ、ギヤ５２に噛み合うギヤ５４と、第２の一方向回転クラッチ例えばワンウェイクラッチを介して回転軸３３に取り付けられたギア３６と、レジストローラ１７の回転軸５５に取り付けられ、ギア３６に噛み合うギア５６と、ギヤ４６，５６に噛み合うギヤ５７とを備えている。 
　尚、モータ３０の正転で、ピックアップローラ１１、給紙ローラ１３、分離ローラ１４にモータ３０の回転力を伝達する部材が第１の伝達手段であり、モータ３０の逆転で、レジストローラ１７、搬送ベルト２１、排紙ローラ２８にモータ３０の回転力を伝達する部材が第２の伝達手段である」
　
記載事項ｃ（第９頁１１行−第１１頁１８行） 
「そして、ステップＳ２でエンプティセンサ１２の状態が判断され、ＯＮしていればステップＳ３でモータ３０が正転（実線の矢印方向）する。 
　これにより、プーリ３２、タイミングベルト３５、プーリ３４、ギヤ３８，３９，４１，５２，５４を介して回転軸４０，５３が正転する。 
　回転軸４０の正転によりアーム４４が下降し、ピックアップローラ１１が原稿に接触する。このため、バネクラッチ４３に負荷がかかってスリップし、ピックアップローラ１１が原稿に接触した状態を維持する。 
　また、回転軸４０の正転により給紙ローラ１３及びピックアップローラ１１が正転し、原稿を送り出す。 
　一方、回転軸５３の回転により分離ローラ１４が原稿の給紙を阻止する方向に回転し、給紙ローラ１３により給紙される原稿に追従する原稿を退け、原稿を１枚に分離する。 
　ところで、ギヤ３６にはワンウエイクラッチが介在されているため、モータ３０の正転時にはギヤ３６は回転しない。 
　原稿がサイズ検出センサ１５に達すると、原稿が幅方向に長ければ○Ｎし、長さ方向に長ければＯＦＦのままである。 
　ステップＳ４でレジストセンサ１６の状態が判断され、原稿を検出すればステップＳ５で一定時間後にモータ３０を停止させる。 
　この時、レジストローラ１７，１８は停止しているので原稿はたわみ、原稿の先端がレジスト修正される。 
　モータ３０の停止により、ピックアップローラ１１、給紙ローラ１３、分離ローラ１４も停止する。 
　ステップＳ６でモータ３０が逆転（破線の矢印方向）すると、回転軸４０も逆転してアーム４４は上昇し、ピックアップローラ１１が原稿から離れる。そしてアーム４４が図示していないストッパに当たると、バネクラッチ３７に負荷がかかり、ギヤ３８は回転しなくなる。このため、ピックアップローラ１１が上昇した状態で、ピックアップローラ１１、給紙ローラ１３、分離ローラ１４は停止している。 
　一方、モータ３０の逆転により回転軸３３の回転力はギヤ３６に伝達され、ギヤ５６，５７，４６及び搬送ベルト２１、丸ベルト５１を介して、レジストローラ１７、搬送ベルト２１、排紙ローラ２８が回転する。」
　
記載事項ｄ（第１６頁１行−４行） 
「前記実施例では所定以上の負荷が作用すると空転するバネクラッチ３７，４３を使用したが、トルクリミッタなどの摩擦クラッチであっても良い。」
　
（３）対比・判断
　
（３−１）本件訂正発明１について
　
　刊行物１に記載された上記技術事項、及び、第２図からみて、刊行物１に記載された発明の「ピックアップローラ」、「給紙ローラ」、「レジストローラ」、「モータ」、「第１の一方向回転クラッチ」及び「第２の一方向回転クラッチ」は、夫々本件訂正発明１の「ピックアップコロ」、「フィードローラ」、「レジストローラ」、「モータ」、「ワンウェイクラッチ」に相当するものであるから、両者は、
「用紙分離搬送用のフィードローラと、このフィードローラから回転駆動力を受け、かつ積載された用紙上面に接して用紙を給送するピックアップコロと、前記フィードローラからの用紙を受けて用紙先端の送り調整を行うレジストローラと、ピックアップコロとフィードローラとレジストローラを駆動する正逆転可能なモータとを備えた装置であって、
　前記モータの正転時に前記レジストローラを空転させると共に前記ピックアップコロとフィードローラを用紙搬送方向に回転させる装置。」
である点で一致しており、下記の点で相違している。 
　
・相違点１；本件訂正発明１は「給紙装置」に関する発明であるのに対し、刊行物１に記載のものは、「自動原稿送り装置」に関する発明である点。 
　
・相違点２；本件訂正発明１では、互いに異なる回転方向で回転ロックするワンウェイクラッチを、フィードローラ及びレジストローラの各支軸にそれぞれ設けられてモータの回転駆動力を伝達する伝達手段に設け、モータの逆転時に前記レジストローラを用紙搬送方向に回転させると共にピックアップコロとフィードローラを空転させるのに対し、刊行物１に記載のものでは、ワンウェイクラッチをフィードローラを駆動するギア３８及びレジストローラの回転軸を駆動するギア３６に設けており、モータの逆転時にピックアップコロとフィードローラを空転させるかどうかについては明確に記載されていない点。 
　
（相違点１について） 
　本件訂正発明２はカット紙を自動給紙するための給紙装置に関するものであり、刊行物１に記載された発明は原稿を給送するための自動原稿搬送装置に関するものであるが、両者は、積載収納された単葉用紙を１枚ずつ分離して給送する点で共通しており、互いに技術の転用が可能な分野に属することが知られている。 
　してみると、本件訂正発明２が、刊行物１に記載の発明をカット紙を給送する用途に流用した点については、当業者であれば、格別の困難なく想到し得たものといえる。 
　
（相違点２について） 
　刊行物１に記載の発明では、モータ３０が逆転すると、回転軸４０が逆転することになるため、ピックアップローラ１１も逆転しながらアーム４４により上昇するものと解され、刊行物１には、本件訂正発明１のようにモータの逆転時にピックアップコロとフィードローラを空転させることは、記載されていない。
　そして、本件訂正発明１では、モータの逆転時にピックアップコロとフィードローラを空転させることにより、特許異議意見書に記載のように、レジストローラにおける用紙のスキュー、スリップという不具合を発生させないものと解される。（第４頁７行−第４頁１４行）
　従って、この相違点については当業者といえども容易に想到することができたものとはいえない。
　よって、本件訂正発明１は、刊行物１に記載された発明に基づいて、当業者が容易に発明をすることができたものとはいえないから、本件訂正発明１は、特許法第２９条第２項の規定に違反してなされたものとはいえない。 
　
（３−２）本件訂正発明２について
　
　刊行物１に記載された上記技術事項、及び、第２図からみて、刊行物１に記載された発明の「ピックアップローラ」、「給紙ローラ」、「レジストローラ」、「モータ」、「第１の一方向回転クラッチ」は、夫々本件訂正発明２の「ピックアップコロ」、「フィードローラ」、「レジストローラ」、「モータ」、「ワンウェイクラッチ」に相当するものであるから、両者は、
「用紙分離搬送用のフィードローラと、このフィードローラから回転駆動力を受け、かつ積載された用紙上面に接して用紙を給送するピックアップコロと、前記フィードローラからの用紙を受けて用紙先端の送り調整を行うレジストローラと、ピックアップコロとフィードローラとレジストローラを駆動する正逆転可能なモータとを備えた装置であって、
　前記モータの正転時に前記レジストローラを空転させると共に前記ピックアップコロとフィードローラを用紙搬送方向に回転させることを特徴とする装置。」
である点で一致しており、下記の点で相違している。 
　
・相違点１；本件訂正発明２は「給紙装置」に関する発明であるのに対し、刊行物１に記載のものは、「自動原稿送り装置」に関する発明である点。 
　
・相違点３；本件訂正発明２では、ピックアップコロとフィードローラに対してモータの回転駆動力をトルクリミッタを介して伝達し、またモータの逆転時にレジストローラを用紙搬送方向に回転させると共に前記ピックアップコロとフィードローラを空転させるのに対し、刊行物１に記載のものでは、モータの回転駆動力をバネクラッチ３７を介して伝達し、モータの逆転時にピックアップコロとフィードローラを空転させるかどうかについては明確に記載されていない点。 
　
・相違点４；本件訂正発明２では、レジストローラの支軸に設けられてモータの回転駆動力を伝達する伝達手段にワンウェイクラッチを設けたのに対し、刊行物１に記載のものでは、レジストローラの回転軸を駆動するギア３６にワンウェイクラッチが設けられている点。 
　
（相違点１について） 
　本件訂正発明１についての判断と同じ
　
（相違点３について） 
　記載事項ｄで摘記したように、刊行物１の第１６頁１行−４行には、「実施例では所定以上の負荷が作用すると空転するバネクラッチ３７，４３を使用したが、トルクリミッタなどの摩擦クラッチであっても良い」ことが記載されている。
　また、本件明細書の、「図４は本発明の第２実施例におけるフィードローラ部分の斜視図、図５は同実施例の要部の分解斜視図であり、上記の第１実施例においてフィードローラ軸３aの駆動歯車10bにワンウェイクラッチを設けたが、この第２実施例では駆動歯車10bは、ワンウェイクラッチを備えず、フィードローラ軸３aに直接固定され、フィードローラ軸３aに正逆両回転共に回転負荷トルクを発生させるトルクリミッタを設けた点で第１実施例と異なっている。」（段落【００２７】）、及び、ブラケット12が「回転かつ上昇し、ブラケット12が前記ストッパ６に当接した所で空転状態となる。従って、ピックアップコロ４は、フィードローラ３が回転していないため、回転せずに停止し、さらにブラケット12が上昇しているので用紙Ｐから離れる。」（段落【００３１】【００３２】）等の記載からみて、本件訂正発明２における「モータの逆転時に前記レジストローラを用紙搬送方向に回転させると共に前記ピックアップコロとフィードローラを空転させる」という要件は、ブラケットがストッパに当接した所でトルクリミッタによって駆動力が低減されて、ピックアップコロがフィードローラとともに停止する場合を含むものと解され、ピックアップコロとフィードローラへの駆動力が完全に遮断されるものとはいえないから、刊行物１に記載の「アーム４４が図示していないストッパに当たると、バネクラッチ３７に負荷がかかり、ギヤ３８は回転しなくなる。このため、ピックアップローラ１１が上昇した状態で、ピックアップローラ１１、給紙ローラ１３、分離ローラ１４は停止している。」（記載事項ｃ）等の作用と比較して、特段相違するところがない。
　従って、本件訂正発明２のものが、バネクラッチ３７にかえてトルクリミッタを採用し、この相違点の構成とした点については、刊行物１に選択的に記載されている事項に過ぎない。 
　
（相違点４について） 
　モータの回転駆動力を伝達する経路にワンウェイクラッチを設けるに際して、ワンウェイクラッチを駆動側に配置するか従動側に配置するかは、設計時に適宜に選択可能な事項であり、また、本件訂正発明２において、これを従動側に配置することを妨げる特段の事情もない。
　よって、相違点４については、当業者が通常なし得る設計事項に相当するものといえる。 
　なお、本件特許権者は、特許異議意見書において、刊行物１に記載の発明では、「モータ３０が逆転すると、回転軸４０が逆転することになるため、ピックアップローラ１１も逆転しながらアーム４４により上昇することになる。」のに対し、本件訂正発明２では、「モータの逆転時にレジストローラを用紙搬送方向に回転させると共にピックアップコロとフィードローラを空転させること」ができるため、不具合を発生させない旨主張する（第５頁２４行−第６頁４行）が、上述のように、本件訂正発明２が、モータの逆転時にピックアップコロとフィードローラの駆動力を完全に遮断できるものとはいえないことは相違点３の判断で述べたとおりであるから、本件特許権者による上記主張は採用することができない。
　
　よって、本件訂正発明２は、刊行物１に記載された発明に基づいて、当業者が容易に発明をすることができたものであるから、本件訂正発明２は、特許法第２９条第２項の規定に違反してされたものである。 
（４）むすび
　
　以上のとおりであるので、特許異議申立の理由及び証拠によっては、本件訂正発明１についての特許を取り消すことはできないし、他に本件訂正発明１についての特許を取り消すべき理由を発見しない。
　また、本件訂正発明２は、特許法第２９条第２項の規定に違反してされたものであるから、同法第１１３条第２号に該当し、取り消されるべきものである。
　よって、特許法等の一部を改正する法律（平成６年第１１６号）附則第１４条の規定に基づく、特許法等の一部を改正する法律の施行に伴う経過措置を定める政令（平成７年政令第２０５号）第４条第２項の規定により、結論の通り決定する。
【異議決定日】
平成１４年７月１９日（２００２．７．１９）
【訂正の要旨】
▲１▼【特許請求の範囲】の【請求項１】に
　「用紙分離搬送用のフィードローラと、用紙を受けて用紙先端の送り調整を行うレジストローラと、フィードローラ及びレジストローラを駆動する正逆転可能なモータとを備えた給紙装置であって、
前記フィードローラ及びレジストローラの各支軸にそれぞれ設けられて前記モータの回転駆動力を伝達する伝達手段に、互いに異なる回転方向で回転ロックするワンウェイクラッチを設け、前記モータの正転時に前記レジストローラを空転させると共に前記フィードローラを用紙搬送方向に回転させ、また前記モータの逆転時に前記レジストローラを用紙搬送方向に回転させると共に前記フィードローラを空転させることを特徴とする給紙装置。」
とあるのを、特許請求の範囲の減縮を目的として、
「用紙分離搬送用のフィードローラと、
このフィードローラから回転駆動力を受け、かつ積載された用紙上面に接して用紙を給送するピックアップコロと、前記フィードローラからの
ピックアップコロと
と
　前記フィードローラ及びレジストローラの各支軸にそれぞれ設けられて前記モータの回転駆動力を伝達する伝達手段に、互いに異なる回転方向で回転ロックするワンウェイクラッチを設け、前記モータの正転時に前記レジストローラを空転させると共に前記
ピックアップコロと
ピックアップコロと
と訂正する。
▲２▼【特許請求の範囲】の【請求項２】に
「積載された用紙上面に接して用紙を給送するピックアップコロと、用紙分離搬送用のフィードローラと、用紙を受けて用紙先端の送り調整を行うレジストローラと、ピックアップコロとフィードローラとレジストローラを駆動する正逆転可能なモータとを備えた給紙装置であって、
前記ピックアップコロとフィードローラに対して前記モータの回転駆動力をトルクリミッタを介して伝達し、前記レジストローラの支軸に設けられて前記モータの回転駆動力を伝達する伝達手段にワンウェイクラッチを設け、前記モータの正転時に前記レジストローラを空転させると共に前記ピックアップコロとフィードローラを用紙搬送方向に回転させ、また前記モータの逆転時に前記レジストローラを用紙搬送方向に回転させると共に前記ピックアップコロとフィードローラを空転させることを特徴とする給紙装置。」
とあるのを、特許請求の範囲の減縮を目的として、
「
用紙分離搬送用のフィードローラと、このフィードローラから回転駆動力を受け、かつ
前記フィードローラからの
　前記ピックアップコロとフィードローラに対して前記モータの回転駆動力をトルクリミッタを介して伝達し、前記レジストローラの支軸に設けられて前記モータの回転駆動力を伝達する伝達手段にワンウェイクラッチを設け、前記モータの正転時に前記レジストローラを空転させると共に前記ピックアップコロとフィードローラを用紙搬送方向に回転させ、また前記モータの逆転時に前記レジストローラを用紙搬送方向に回転させると共に前記ピックアップコロとフィードローラを空転させることを特徴とする給紙装置。」
と訂正する。
▲３▼【発明の詳細な説明】の段落【００１４】に
「【課題を解決するための手段】上記の目的を達成するため、本発明の第１の手段は、用紙分離搬送用のフィードローラと、用紙を受けて用紙先端の送り調整を行うレジストローラと、フィードローラ及びレジストローラを駆動する正逆転可能なモータとを備えた給紙装置であって、前記フィードローラ及びレジストローラの各支軸にそれぞれ設けられて前記モータの回転駆動力を伝達する伝達手段に、互いに異なる回転方向で回転ロックするワンウェイクラッチを設け、前記モータの正転時に前記レジストローラを空転させると共に前記フィードローラを用紙搬送方向に回転させ、また前記モータの逆転時に前記レジストローラを用紙搬送方向に回転させると共に前記フィードローラを空転させることを特徴とする。」
とあるのを、明りょうでない記載の釈明を目的として、
「【課題を解決するための手段】上記の目的を達成するため、本発明の第１の手段は、用紙分離搬送用のフィードローラと、
このフィードローラから回転駆動力を受け、かつ積載された用紙上面に接して用紙を給送するピックアップコロと、前記フィードローラからの
ピックアップコロと
と
ピックアップコロと
ピックアップコロと
と訂正する。
▲４▼【発明の詳細な説明】の段落【００１５】に
「また第２の手段は、積載された用紙上面に接して用紙を給送するピックアップコロと、用紙分離搬送用のフィードローラと、用紙を受けて用紙先端の送り調整を行うレジストローラと、ピックアップコロとフィードローラとレジストローラを駆動する正逆転可能なモータとを備えた給紙装置であって、前記ピックアップコロとフィードローラに対して前記モータの回転駆動力をトルクリミッタを介して伝達し、前記レジストローラの支軸に設けられて前記モータの回転駆動力を伝達する伝達手段にワンウェイクラッチを設け、前記モータの正転時に前記レジストローラを空転させると共に前記ピックアップコロとフィードローラを用紙搬送方向に回転させ、また前記モータの逆転時に前記レジストローラを用紙搬送方向に回転させると共に前記ピックアップコロとフィードローラを空転させることを特徴とする。」
とあるのを、明りょうでない記載の釈明を目的として、
「また第２の手段は、
用紙分離搬送用のフィードローラと、このフィードローラから回転駆動力を受け、かつ
前記フィードローラからの
と訂正する。
（５４）【発明の名称】
給紙装置
（５７）【特許請求の範囲】
　【請求項１】　用紙分離搬送用のフィードローラと、
このフィードローラから回転駆動力を受け、かつ積載された用紙上面に接して用紙を給送するピックアップコロと、前記フィードローラからの
ピックアップコロと
と
　前記フィードローラ及びレジストローラの各支軸にそれぞれ設けられて前記モータの回転駆動力を伝達する伝達手段に、互いに異なる回転方向で回転ロックするワンウェイクラッチを設け、前記モータの正転時に前記レジストローラを空転させると共に前記
ピックアップコロと
ピックアップコロと
　【請求項２】　
用紙分離搬送用のフィードローラと、このフィードローラから回転駆動力を受け、かつ
前記フィードローラからの
　前記ピックアップコロとフィードローラに対して前記モータの回転駆動力をトルクリミッタを介して伝達し、前記レジストローラの支軸に設けられて前記モータの回転駆動力を伝達する伝達手段にワンウェイクラッチを設け、前記モータの正転時に前記レジストローラを空転させると共に前記ピックアップコロとフィードローラを用紙搬送方向に回転させ、また前記モータの逆転時に前記レジストローラを用紙搬送方向に回転させると共に前記ピックアップコロとフィードローラを空転させることを特徴とする給紙装置。
　【請求項３】　積載された用紙上面に接して用紙を給送するピックアップコロ及び用紙分離搬送用のフィードローラを有する２段の給紙口と、これらの給紙口からの用紙を受けて用紙先端の送り調整を行うレジストローラと、ピックアップコロとフィードローラとレジストローラを駆動するモータとを備えた給紙装置において、前記レジストローラに近い給紙口に搬送開始、終了を行うための電磁クラッチを設け、さらにレジストローラと、レジストローラから遠い給紙口との給紙構成を請求項１あるいは請求項２記載の給紙装置の構成にしたことを特徴とする給紙装置。
【発明の詳細な説明】
　【０００１】
　【産業上の利用分野】
　本発明は、複写機，ファクシミリ装置，プリンタ等に適用され、カットされている用紙を自動給紙する給紙装置に関する。
　【０００２】
　【従来の技術】
　従来の給紙装置において、給紙のオン／オフ動作及びレジスト動作は、通常、電磁クラッチを用いて制御されていた。
　【０００３】
　図１３は従来の給紙装置の一例を示す正面図、図１４は図１３の装置の平面図であり、１はゴムローラ１ａと加圧ローラ１ｂとからなるレジストローラ対、２は分離ローラ、３は分離ローラ２に接しているワンウェイクラッチを備えたフィードローラ、４は積載されている用紙Ｐの最上位のものと接離可能なピックアップコロ、５はピックアップコロ４を用紙Ｐの積載面方向と逆方向に引張っているスプリング、６はピックアップコロ４の上昇位置を規制するストッパ、７はステッピングモータ、８はステッピングモータ７の出力軸７ａに設けられた出力歯車、９は、前記ゴムローラ１ａのレジストローラ軸１ｃに設けられた電磁クラッチ１１ｂを備えた駆動歯車１０ａと、フィードローラ軸３ａに設けられた電磁クラッチ１１ａを備えた駆動歯車１０ｂとに前記出力歯車８からの駆動力を伝達するためのタイミングベルト、１１ａ，１１ｂは前記駆動力の伝達をオン／オフするためレジストローラ軸１ｃおよびフィードローラ軸３ａに設けられた電磁クラッチ、１２はフィードローラ３とピックアップコロ４とを設置してなるブラケット、１３はブラケット１２に設けられ、フィードローラ歯車１４とピックアップ歯車１５とに噛合している連結歯車、１６はブラケット１２とフィードローラ軸３ａとを連結しているトルクリミッタ、１７はレジストセンサである。
　【０００４】
　図１３はフィードローラ３が用紙Ｐを送り出してレジストを行うまでの動作を示しており、図１４のステッピングモータ７の回転によりタイミングベルト９が矢印方向に回転され、フィードローラ軸３ａの電磁クラッチ１１ａがオンすると、フィードローラ軸３ａに回転駆動力が伝わってフィードローラ軸３ａが回転する。
　【０００５】
　同時にフィードローラ軸３ａにトルクリミッタ１６を介して連結されたブラケット１２は、フィードローラ軸３ａが回転する方向にピックアップコロ４が用紙Ｐ表面に接するまで回動する。ピックアップコロ４が用紙Ｐ表面に接したと同時にトルクリミッタ１６が空転状態となるため、ピックアップコロ４は用紙Ｐ表面に対してトルクリミッタ１６の空転トルク分の圧力を与えて接することになる。
　【０００６】
　またフィードローラ軸３ａが回転すると、フィードローラ３は、一体化されたワンウェイクラッチを有し、この場合にはロックする方向に設定されているために回転する。さらにフィードローラ３は、ピックアップコロ４に対してフィードローラ歯車１４から連結歯車１３とピックアップ歯車１５を介して回転駆動力を与えるため、ピックアップコロ４を回転させる。
　【０００７】
　従って、ピックアップコロ４は、用紙Ｐ表面に対して一定圧を与えながら回転し、用紙Ｐを送り出す。しかもフィードローラ３も回転しているため、用紙Ｐがレジストローラ対１まで送り出されることになる。
　【０００８】
　送り出された用紙Ｐは、このときレジストローラ軸１ｃの電磁クラッチ１１ｂがオフ状態にあり、回転駆動力がレジストローラ軸１ｃに伝わらず、レジストローラ対１が回転していないため、レジストローラ対１のニップまで送られ、レジストセンサ１７で検知される。そこで用紙Ｐがレジストローラ対１に突き当って撓み、図１３に示したようにループＬを形成するまでの時間でフィードローラ軸３ａを停止し、紙送りを停止させるためにフィードローラ軸３ａの電磁クラッチ１１ａをオフにする。
　【０００９】
　この状態で用紙Ｐの先端は、レジストローラ対１のニップに前記ループＬの撓む力によって突き当てられて先端が揃うことになる（レジスト動作）。そして図示しない感光体上の画像と用紙Ｐ先端とを合せるタイミングで、レジストローラ軸１ｃの電磁クラッチ１１ｂがオンし、図１５に示したように、レジストローラ対１が回転し、用紙Ｐを搬送する。
　【００１０】
　フィードローラ軸３ａは、電磁クラッチ１１ａがオフしており、空転可能な状態にある。従って、スプリング５の引張力を受けてブラケット１２が持ち上げられ、ピックアップコロ４は用紙Ｐ表面から離れ、用紙Ｐへの加圧が解除される。
　【００１１】
　【発明が解決しようとする課題】
　上記の従来の給紙装置において、給紙のオン／オフ動作は電磁クラッチ１１ａを用いており、さらにレジスト動作を行うためにも電磁クラッチ１１ｂを用いている。従って、１つの給紙口を有する給紙装置には２つの電磁クラッチが必要であり、給紙口が１つ増えると電磁クラッチが１つ増えることになる。
　【００１２】
　しかし電磁クラッチは高価であるため、電磁クラッチの使用数の増加はコストアップの原因となるという問題がある。
　【００１３】
　本発明の目的は、電磁クラッチの使用数を減少して給紙が可能な給紙装置を提供することにある。
　【００１４】
　【課題を解決するための手段】
　上記の目的を達成するため、本発明の第１の手段は、用紙分離搬送用のフィードローラと、
このフィードローラから回転駆動力を受け、かつ積載された用紙上面に接して用紙を給送するピックアップコロと、前記フィードローラからの
ピックアップコロと
と
ピックアップコロと
ピックアップコロと
　【００１５】
　また第２の手段は、
用紙分離搬送用のフィードローラと、このフィードローラから回転駆動力を受け、かつ
前記フィードローラからの
　【００１６】
　また第３の手段は、積載された用紙上面に接して用紙を給送するピックアップコロ及び用紙分離搬送用のフィードローラを有する２段の給紙口と、これらの給紙口からの用紙を受けて用紙先端の送り調整を行うレジストローラと、ピックアップコロとフィードローラとレジストローラを駆動するモータとを備えた給紙装置において、前記レジストローラに近い給紙口に搬送開始、終了を行うための電磁クラッチを設け、さらにレジストローラと、レジストローラから遠い給紙口との給紙構成を上記の第１の手段あるいは第２の手段の給紙装置の構成にしたことを特徴とする。
　【００１７】
　【作用】
　上記の第１の手段によれば、フィードローラとレジストローラとにモータの回転駆動力を伝達する各伝達手段にそれぞれワンウェイクラッチを設け、これらのワンウェイクラッチを互いに異なる回転方向で回転ロックすることで、用紙の送り出しとレジスト動作とを可能にする。
　【００１８】
　また第２の手段によれば、モータの回転駆動力が、ピックアップコロとフィードローラに対してはトルクリミッタを介して伝達し、さらにレジストローラに対してはワンウェイクラッチを介して伝達され、第１の手段に比べてワンウェイクラッチの設置数が少なくなる。
　【００１９】
　また第３の手段によれば、ピックアップコロとフィードローラとを備えた給紙口が２段で、駆動用のモータを共通して用いる場合でも、レジストローラに近い方の給紙口のみに電磁クラッチを設置し、レジストローラと、レジストローラから遠い給紙口との構成に上記の第１，第２の手段の給紙構成を採用することで、２段の給紙口であっても少ない電磁クラッチで給紙が可能になる。
　【００２０】
　【実施例】
　以下、本発明の実施例を図面に基づいて説明する。尚、図１３〜図１５に基づいて説明した部材に対応する部材には同一符号を付して詳しい説明を省略する。
　【００２１】
　図１は本発明の第１実施例の正面図、図２は図１の第１実施例の平面図であり、この第１実施例では、レジストローラ対１のゴムローラ１ａが加圧ローラ１ｂに対して下部に設置され、ステッピングモータ７の出力歯車８からタイミングベルト９により回転駆動力を受ける前記ゴムローラ１ａのレジストローラ軸１ｃと、フィードローラ軸３ａとにそれぞれ設けられた伝達手段である駆動歯車１０ａ，１０ｂにワンウェイクラッチを設けており、図１４に示した電磁クラッチ１１ａ，１１ｂを取り除いている。
　【００２２】
　図１はフィードローラ３が用紙Ｐを送り出してレジストを行うまでの動作を示しており、図２のステッピングモータ７が回転すると、フィールドローラ軸３ａは、ワンウェイクラッチを有している駆動歯車１０ｂによりロック状態に設定されているため回転し、図１３〜図１５に基づいて説明したと同様にして用紙をレジストローラ対１まで送り出す。
　【００２３】
　そしてレジストローラ対１の近傍に設置されているレジストセンサ１７で用紙Ｐの給紙が検知され、用紙ＰがループＬを形成した時点でステッピングモータ７の回転が停止される。
　【００２４】
　上記の動作の間、ワンウェイクラッチを有している駆動歯車１０ａが、この場合の回転方向では空転するように設定されているため、レジストローラ軸１ｃには回転駆動力が伝達されず、レジストローラ対１は停止したままであって、レジスト動作が行われる。
　【００２５】
　次に画像と用紙Ｐの先端とを合せるタイミングで、図１と逆方向にステッピングモータ７を回転させる。従って、タイミングベルト９は、図３に示した矢印方向に回転するため、レジストローラ軸１ｃの駆動歯車１０ａにおけるワンウェイクラッチがロック状態になり、レジストローラ軸１ｃからレジストローラ対１に回転駆動力が伝わり、用紙Ｐを搬送する。
　【００２６】
　一方、フィードローラ軸３ａの駆動歯車１０ｂは、この場合の回転方向ではワンウェイクラッチが空転する方向に回転するため、フィードローラ軸３ａには回転駆動力が伝わらず空転可能な状態となり、スプリング５の引張力を受けてブラケット１２が持ち上げられ、ピックアップコロ４は用紙Ｐ表面から離れ、用紙Ｐへの加圧が解除される。
　【００２７】
　図４は本発明の第２実施例におけるフィードローラ部分の斜視図、図５は同実施例の要部の分解斜視図であり、上記の第１実施例においてフィードローラ軸３ａの駆動歯車１０ｂにワンウェイクラッチを設けたが、この第２実施例では駆動歯車１０ｂは、ワンウェイクラッチを備えず、フィードローラ軸３ａに直接固定され、フィードローラ軸３ａに正逆両回転共に回転負荷トルクを発生させるトルクリミッタを設けた点で第１実施例と異なっている。
　【００２８】
　図４，図５において、トルクリミッタ２０は、ブラケット１２に固定された円筒状の受体２１と、正巻と逆巻のトルクリミッタ・スプリング２２，２３と、両トルクリミッタ・スプリング２２，２３間に設置されたトルクリミッタ・ハブ２４と、ネジ２５でフィードローラ軸３ａに固定されたストッパ・ハブ２６とからなっている。
　【００２９】
　前記正巻トルクリミッタ・スプリング２２が軸受体２１とトルクリミッタ・ハブ２４との一部に接合し、また逆巻トルクリミッタ・スプリング２３がトルクリミッタ・ハブ２４とストッパ・ハブ２６との一部に接合し、各中央孔にフィードローラ軸３ａが挿入される。
　【００３０】
　上記のトルクリミッタ２０を用いた給紙動作を説明する。すなわち、フィードローラ３が用紙を送り出してレジストを行うまでは第１実施例と同じであり、その後、図３に示したように、タイミングベルト９と同一方向に回転すると、フィードローラ３は、一体化されたワンウェイクラッチによりフィードローラ軸３ａが空転する方向に回転しているため、回転駆動力が伝わらない。
　【００３１】
　またブラケット１２は、フィードローラ軸３ａが回転する駆動力をトルクリミッタ２０が受け、しかもトルクリミッタ２０が逆回転でも作用するため、回転かつ上昇し、ブラケット１２が前記ストッパ６に当接した所で空転状態となる。
　【００３２】
　従って、ピックアップコロ４は、フィードローラ３が回転していないため、回転せずに停止し、さらにブラケット１２が上昇しているので用紙Ｐから離れる。上記のようにピックアップコロ４が上下動するため、第１実施例で用いたピックアップコロ戻し用のスプリング５は第２実施例では不必要である。
　【００３３】
　尚、トルクリミッタ２０′として、図６の分解斜視図と図７の組付状態の斜視図に示した構成のものも採用できる。図６，図７において、３０はブラケット１２に固定された受体、３１は固定側ディスク、３２は回転側ディスク、３３は受台、３４は加圧スプリング、３５はワッシャ、３６は係止部材であるＥ形リング、３７はフィードローラ軸３ａの側方に突出するように設けられた係止ピンである。
　【００３４】
　前記固定側ディスク３１と回転側ディスク３２とは受体３０と受台３３間に配され、各中央孔にフィードローラ軸３ａが挿入された状態で、受台３３の切欠溝３３ａにフィードローラ軸３ａの係止ピン３７が入り、フィードローラ軸３ａの突出端部において、受台３３と、フィードローラ軸３ａにＥ形リング３６で止められたワッシャ３５との間に圧縮状態で加圧スプリング３４が設けられており、フィードローラ軸３ａの正逆両回転共に回転負荷トルクを発生するようにしている。
　【００３５】
　図８は本発明の第３実施例の構成図であり、この第３実施例では上下２つの給紙口を有し、レジストローラ対１とフィードローラ３との距離が短い方を第１給紙口（上段）とし、また前記距離が長い方を第２給紙口（下段）とした場合、第１給紙口におけるフィードローラ３の回転停止動作、すなわち用紙Ｐの送り出し開始，終了を図１３〜図１５で説明した電磁クラッチ１１ａのオン／オフ動作により行い（ただし、レジスト動作なし）、第２給紙口において上記の第１実施例あるいは第２実施例の構成を採用し（第３実施例では第１実施例の構成を採用した）、モータ正逆切換えにより用紙Ｐの送り出し開始，終了を行うようにする。
　【００３６】
　図８において、４０はステッピングモータ４１の出力歯車４１ａによって駆動され、レジストローラ対１の駆動歯車１０ａと、第２給紙口のフィードローラ３′の駆動歯車１０ｂとに架設されたタイミングベルト、４２は前記駆動歯車１０ａと、第１給紙口のフィードローラ３における電磁クラッチ１１ａの連結歯車４３とに架設されたタイミングベルト、４４はガイド板、４５ａは第１給紙口の給紙カセット、４５ｂは第２給紙口の給紙カセットである。
　【００３７】
　図９は第１給紙口のフィードローラ搬送の説明図であり、ステッピングモータ４１が矢印方向に回転し、電磁クラッチ１１ａがオンするとピックアップコロ４が用紙Ｐに対して加圧，回転状態となり、用紙Ｐを送り出す。フィードローラ３も回転して用紙Ｐの分離搬送を行う。用紙Ｐがレジストローラ対１部分に達するとレジストセンサ１７がオンし、用紙Ｐがレジストローラ対１に入ったタイミングでステッピングモータ４１の回転を停止し、電磁クラッチ１１ａをオフ状態にする。
　【００３８】
　この時、駆動歯車１０ａはロック方向に回転しているため、用紙がレジストローラ対１に入っても、レジストローラ対１は回転しているのでレジストが行われない。また第２給紙口では、ステッピングモータ４１は、駆動歯車１０ｂをワンウェイクラッチの空転方向に回転させているため、用紙Ｐの搬送が行われない。
　【００３９】
　そして図１０に示したように、ステッピングモータ４１を再び図９の状態と同じ方向に回転させると、レジストローラ対１により用紙Ｐが搬送される。この時、電磁クラッチ１１ａはオフ状態であるので、２枚目の用紙は送り出されない。
　【００４０】
　図１１は第２給紙口のフィードローラ搬送の説明図であり、ステッピングモータ４１を図９，図１０とは逆方向に回転する。すると駆動歯車１０ｂはロック方向に回転するため、ピックアップコロ４が用紙Ｐに対する加圧回転を行い、フィードローラ３′へ用紙Ｐを送り込む。フィードローラ３′も回転しているため用紙Ｐの分離搬送を行う。用紙Ｐは、搬送されながらレジストセンサ１７をオンさせ、レジストローラ対１に入る。
　【００４１】
　レジストローラ対１は、駆動歯車１０ａが空転方向に回転しているため回転せず、従って、用紙ＰがループＬを形成し、そのタイミングでステッピングモータ４１を停止する。この時、第１給紙口のフィードローラ３は、電磁クラッチ１１ａがオフ状態のままであるため、用紙を搬送しない。
　【００４２】
　そして図１２に示したように、ステッピングモータ４１を図１１とは逆方向（図９，図１０と同じ方向）に回転させると、駆動歯車１０ａはロック方向に回転するため、レジストローラ対１が回転して用紙Ｐを搬送する。また第２給紙口のフィードローラ３′の駆動歯車１０ｂはワンウェイクラッチが空転する方向に回転しているため、第２給紙口のフィードローラ３′は回転せず、ピックアップコロ４も回転停止して用紙Ｐに対する加圧が解除されているので、２枚目の用紙は送り出されない。
　【００４３】
　【発明の効果】
　以上説明したように、本発明の第１の手段によれば、電磁クラッチを用いずにワンウェイクラッチを用いて用紙の搬送開始が行えるためコストダウンが図れ、また第２の手段によれば、第１の手段で２箇所に設置する必要があるワンウェイクラッチの１つをトルクリミッタとすることができて、さらにコストダウンが図れ、また第３の手段によれば、２段給紙の場合、従来では電磁クラッチを３箇所に設置する必要があるのを１つに減らすことができて、コストダウンが図れる等、電磁クラッチの使用数を減少して給紙が可能な給紙装置を提供できる。
【図面の簡単な説明】
　【図１】
　本発明の給紙装置の第１実施例の正面図である。
　【図２】
　図１の第１実施例の平面図である。
　【図３】
　第１実施例の動作状態の説明図である。
　【図４】
　本発明の第２実施例におけるフィードローラ部分の斜視図である。
　【図５】
　第２実施例の要部の分解斜視図である。
　【図６】
　トルクリミッタの他例の分解斜視図である。
　【図７】
　図６のトルクリミッタの組付状態の斜視図である。
　【図８】
　本発明の第３実施例の構成図である。
　【図９】
　第３実施例の第１給紙口のフィードローラ搬送の説明図である。
　【図１０】
　第３実施例の第１給紙口のレジストローラ対搬送の説明図である。
　【図１１】
　第３実施例の第２給紙口のフィードローラ搬送の説明図である。
　【図１２】
　第３実施例の第２給紙口のレジストローラ対搬送の説明図である。
　【図１３】
　従来の給紙装置の一例を示す正面図である。
　【図１４】
　図１３の装置の平面図である。
　【図１５】
　図１３の装置の動作状態の説明図である。
　【符号の説明】
１…レジストローラ対、　１ｃ…レジストローラ軸、　２…分離ローラ、　３，３′…フィードローラ、　３ａ…フィードローラ軸、　４…ピックアップコロ、　７…ステッピングモータ、　８…出力歯車、　９…タイミングベルト、　１０ａ，１０ｂ…駆動歯車（伝達手段）、　１１ａ，１１ｂ…電磁クラッチ、　２０，２０′…トルクリミッタ。